(57)【特許請求の範囲】
【請求項１】
後身頃の上縁左右に広幅の肩帯を設けると共に、後身頃の下縁に沿って高伸縮性の環状の乳房支持帯の背部を縫着し、さらに後身頃の両側縁に乳房の大きさに追従して横方向に伸縮可能な左右のカップ部を連成してなる前合わせ式のマタニティブラジャーであって、上記前合わせした左右のカップ部の内面側において、縦方向への伸縮性の低く、且つ、カップ部を開放した状態で乳房が露出する形状の補強布の下縁を乳房支持帯の前半部に、又上記補強布の上端を肩帯頂部にそれぞれ縫着する一方、上記左側カップ部の下縁先端部を乳房支持帯表面に、又右側カップ部の下縁先端部を左側カップ部の下縁にそれぞれ係止可能とすると共に、左右のカップ部の上端を左右の肩帯に係止自在としたことを特徴とするマタニティブラジャー。
【発明の詳細な説明】
【０００１】
【発明の属する技術分野】
この発明は、産前、産後を通じて利用され、特に授乳期の乳房の成長に合致した良好な管理と乳房の保護を適正に行うようにしたマタニティブラジャーに関するものである。
【０００２】
【従来の技術】
一般に妊娠から分娩、授乳および離乳期に到る母親の乳房は、形状的にも機能的にも大きく変化することは常識とされている。特に母乳の分秘機能を充分に確保するためには、この時期の乳房を常時直円錐状（乳房軸を立てた状態）に保持すること、即ち乳房全体を持ち上げるように保つと同時に、乳房や乳首の圧迫を軽減して血液の循環をスムーズにすることが肝要であることも知られている。
【０００３】
而して、この種のマタニティブラジャーに関して、これ迄最も好評なものは、本発明者の考案に係る実用新案登録第１８８３３０６号（実公平３−３５２５号公報参照）が知られている。
【０００４】
ところで上記従来技術の内容は、図２に示したようにブラジャー主体（イ）が内面下方に母乳パッド装着用のポケット（ロ）と、その前面下縁をタック（ハ）等で絞り、横方向への伸縮性が大きいメリヤス地からなる左右のカップ部（ニ）（ホ）を備え、該カップ部（ニ）（ホ）の上方に広幅の肩帯（ヘ）を連成し、更に下縁には伸縮可能な乳房支持帯（ト）を設けて、その両端部を前合わせせて面ファスナー（チ）で係脱可能にしたものである。
【０００５】
【発明が解決しようとする課題】
従来技術として述べた上記マタニティブラジャーは、それ以前に広く利用されていた各種のブラジャーとは異なり、産前、産後を通じて生ずる乳房の変形を、これ一つで最適な状態で保護、管理し、血行の促進と母乳の分秘の確保等に良好な成果を収めて来たのであるが、このブラジャー構造における唯一の課題としては、授乳時に主体下縁の乳房支持帯（ト）を外すと、両側カップ部（ニ）（ホ）が左右に開放されて他側の乳房が露出し、授乳を行っていない側からの乳汁漏れを防ぐことができず、又その乳房を隠すのに片方の手で他側のカップ部を支持していなければならないと云う煩わしさが見られたものである。
【０００６】
【課題を解決するための手段】
本発明は、このような従来品の構造的課題を克服する為、種々研究、改善を行って完成されたもので、後身頃の上縁左右に広幅の肩帯を設けると共に、後身頃の下縁に沿って高伸縮性の環状の乳房支持帯（以下、単に「支持帯」と呼ぶ）の背部を縫着し、さらに後身頃の両側縁に乳房の大きさに追従して横方向に伸縮可能な左右のカップ部を連成してなる前合わせ式のマタニティブラジャーであって、上記前合わせした左右のカップ部の内面側において、縦方向への伸縮性の低く、且つ、カップ部を開放した状態で乳房が露出する形状の補強布の下縁を乳房支持帯の前半部に、又上記補強布の上端を肩帯頂部にそれぞれ縫着する一方、上記左側カップ部の下縁先端部を乳房支持帯表面に、又右側カップ部の下縁先端部を左側カップ部の下縁にそれぞれ係止可能とすると共に、左右のカップ部の上端を左右の肩帯に係止自在とするという手段を用いた。
【０００７】
【作用】
本発明のマタニティブラジャーの構成によれば、左右のカップ部が乳房形状の変化に応じて膨縮し、常に乳房全体を柔軟に包み込むと同時に、後身頃の下縁に沿って縫着された高伸縮性支持帯によって、乳房を安定的に良好な直円錐状に保持するという作用が得られるのである。
【０００８】
又、前合わせ式のマタニティブラジャーであって、上記前合わせした左右のカップ部の内面側において、縦方向への伸縮性の低く、且つ、カップ部を開放した状態で乳房が露出する形状の補強布の下縁を乳房支持帯の前半部に、又上記補強布の上端を肩帯頂部にそれぞれ縫着する一方、上記左側カップ部の下縁先端部を乳房支持帯表面に、又右側カップ部の下縁先端部を左側カップ部の下縁にそれぞれ係止可能とすると共に、左右のカップ部の上端を左右の肩帯に係止自在としたことによって、授乳時に右・左いずれか一方のカップ部のみを開放し得るという、従来のマタニティブラジャーには期待できなかった優れた作用を奏するものである。
【０００９】
更に、上記両側のカップ部内面に補強布を縫着したので、乳房形状の変化または重量の増加によるカップ部の延びを規制して乳房を常時直円錐状に保持する上で効果的に作用するのである。
【００１０】
【発明の実施の形態】
以下、本発明に係るマタニティブラジャーの構成を実施例に従って更に詳述すると、図１は本発明の実施例を示したもので、後身頃１ａの上縁左右に設けられる広幅の肩帯１ｂの前端部に、乳房の大きさに追従して横方向に伸縮可能な左右カップ部２ａ・２ｂの上端を調節且つ係合可能にした前合わせ式のマタニティブラジャーであって、上記ブラジャー主体１の後身頃１ａの下縁に沿って高伸縮性の環状支持帯３’の背部を縫着し、後身頃１ａの両側縁に縫着、連成される左右のカップ部２ａ・２ｂの内側に、縦方向への伸縮量の少ない補強布６の下縁を上記環状支持帯３’の前半部に、又上端を肩帯頂部に縫着し、更に上記左側カップ部２ａの下縁先端を環状支持帯の表面に、又右側カップ部２ｂの下縁先端を左側カップ部２ａの下縁にそれぞれ係止可能とすると共に、左右のカップ部２ａ・２ｂの上端をそれぞれが対応する肩帯１ｂに調整可能に係止し得るように構成したものである。
【００１１】
上記実施例に係るマタニティブラジャーは、後身頃１ａが縫着されてなる環状支持帯３’の前面が補強布６を介して肩帯１ｂに連結されているものであるから、その使用要領は、通常左右のカップ部２ａ・２ｂの係止を解除乃至は緩めた状態にした後、環状支持帯３’を拡開して頭から被り、その肩帯１ｂをそれぞれ適正な位置にあらしめた上で、例えば左側カップ部２ａを適度に伸長し、その下縁先端の雄ファスナー２ｃを環状支持帯の表面に付された雌ファスナー３’ａに係止した上、右側カップ部２ｂを適度に緊張して下縁先端の雄ファスナー２ｄを左側カップ部２ａの下縁表面に付された雌ファスナー２ｅに係止し、更に左右のカップ部２ａ・２ｂ上端の雄ファスナー２ｆ・２ｆを肩帯１ｂの前端部に付された雌ファスナー１ｅ・１ｅに緊張状態を調整しつゝ係止すればよいのである。
【００１２】
このようにして装着されたブラジャー主体１は、左右のカップ部２ａ・２ｂの上端と肩帯１ｂ・１ｂの前端部に付されている各対のファスナー２ｆ・２ｅを離合操作するだけでカップ部を開放できるから、左右任意の乳房を随時露出させて授乳できるのである。
【００１３】
【発明の効果】
以上詳述したように、本発明のマタニティブラジャーは、産前、産後を通じて形態の変化する乳房の適正な保護と保形管理が一つのブラジャーによって行える便利さに加えて、従来、特に授乳時において双方の乳房が露出するため、その一方を隠す煩わしさ等が完全に解消され、左右任意な乳房からの授乳が極めて簡単に行えるという顕著な効果を齎らし得るものである。
【００１４】
又、両カップ部の内面に補強布を縫着したものは、下降しようとする乳房の重量で伸長するカップ部の弛緩を規制して一層良好な乳房の保形効果が期待出来るのである。
【図面の簡単な説明】
【図１】  本発明のマタニティブラジャーの他の実施例を示す正面斜視図
【図２】  従来のマタニティブラジャーの使用状態を示す斜視図
【符号の説明】
１  ブラジャー主体
２  前身頃
３’  環状支持帯
６  補強布
【図１】
0003804086.tif 000002
【図２】
0003804086.tif 000003